(57)【要約】【課題】管理ファイルのバックアップに伴い、内周側と外周側との間でシークが多発しないようにすることで、騒音の発生を抑制する。【解決手段】光ディスク１０６の内周側の予約領域２０１に記録された管理ファイルを、ファイナライズ処理を行う際に一括して読み出す。そして、バックアップデータとして、光ディスク１０６の外周側のバックアップ領域２０３に一括して記録するようにして、予約領域２０１にある管理ファイルをバックアップ領域２０３にコピーする場合でも、シークの多発を防ぎ、騒音の多発を防止することができるようにする。【選択図】図１
2008282456.tif 000002
【特許請求の範囲】
【請求項１】
画像データをディスク記録媒体に記録すると共に、前記ディスク記録媒体上に予約領域を設け、前記画像データの管理情報を前記予約領域に記録する記録手段と、
前記ディスク記録媒体に対するファイナライズの指示に応じて、前記予約領域に記録された複数の前記画像データの管理情報を読み出す読出手段と、
前記読出手段によって読み出された前記複数の画像データの管理情報を蓄積するメモリと、
前記ディスク記録媒体上に前記予約領域とは不連続なバックアップ領域を設け、前記メモリに蓄積された管理情報をバックアップデータとして、前記バックアップ領域に記録するよう前記記録手段を制御する制御手段と、
前記記録手段によって記録されたバックアップデータに従って、前記ディスク記録媒体に関するファイルシステム情報を変更するファイルシステム変更手段とを有することを特徴とする記録装置。
【請求項２】
前記ファイルシステム変更手段は、前記記録手段によって前記管理情報を前記バックアップ領域に全て記録した後に、ファイルの属性を示すファイルエントリの登録を行うことによりファイルシステムを変更することを特徴とする請求項１に記載の記録装置。
【請求項３】
前記ファイルシステム変更手段は、前記予約領域に記録された管理情報のファイルエントリを前記バックアップデータのファイルエントリに変換して、前記変換したファイルエントリの登録を行うことを特徴とする請求項２に記載の記録装置。
【請求項４】
前記メモリは、前記ディスク記録媒体に記録された全ての前記画像データに対応した管理情報を蓄積可能な容量を持ち、前記読出手段は前記予約領域から前記全ての画像データに対応した管理情報を一括して読み出して前記メモリに蓄積することを特徴とする請求項１に記載の記録装置。
【請求項５】
前記記録手段は、前記ファイナライズの指示に応じて、前記ファイルシステム変更手段により変更されたファイルシステム情報を前記ディスク記録媒体に記録することを特徴とする請求項１から４の何れか１項に記載の記録装置。
【請求項６】
画像データをディスク記録媒体に記録すると共に、前記ディスク記録媒体上に予約領域を設け、前記画像データの管理情報を前記予約領域に記録する記録工程と、
前記ディスク記録媒体に対するファイナライズの指示に応じて、前記予約領域に記録された複数の前記画像データの管理情報を読み出す読出工程と、
前記ディスク記録媒体上に前記予約領域とは不連続なバックアップ領域を設け、前記読出工程において読み出した前記複数の画像データの管理情報を蓄積するメモリに蓄積された管理情報をバックアップデータとして、前記バックアップ領域に記録するよう前記記録工程における処理を制御する制御工程と、
前記記録工程において記録したバックアップデータに従って、前記ディスク記録媒体に関するファイルシステム情報を変更するファイルシステム変更工程とを有することを特徴とする記録方法。
【請求項７】
前記ファイルシステム変更工程においては、前記記録工程において前記管理情報を前記バックアップ領域に全て記録した後に、ファイルの属性を示すファイルエントリの登録を行うことによりファイルシステムを変更することを特徴とする請求項６に記載の記録方法。
【請求項８】
前記ファイルシステム変更工程においては、前記予約領域に記録された管理情報のファイルエントリを前記バックアップデータのファイルエントリに変換して、前記変換したファイルエントリの登録を行うことを特徴とする請求項７に記載の記録方法。
【請求項９】
前記メモリは、前記ディスク記録媒体に記録された全ての前記画像データに対応した管理情報を蓄積可能な容量を持ち、前記読出工程においては、前記予約領域から前記全ての画像データに対応した管理情報を一括して読み出して前記メモリに蓄積することを特徴とする請求項６に記載の記録方法。
【請求項１０】
前記記録工程においては、前記ファイナライズの指示に応じて、前記ファイルシステム変更工程において変更したファイルシステム情報を前記ディスク記録媒体に記録することを特徴とする請求項６から９の何れか１項に記載の記録方法。
【請求項１１】
画像データをディスク記録媒体に記録すると共に、前記ディスク記録媒体上に予約領域を設け、前記画像データの管理情報を前記予約領域に記録する記録工程と、
前記ディスク記録媒体に対するファイナライズの指示に応じて、前記予約領域に記録された複数の前記画像データの管理情報を読み出す読出工程と、
前記ディスク記録媒体上に前記予約領域とは不連続なバックアップ領域を設け、前記読出工程において読み出した前記複数の画像データの管理情報を蓄積するメモリに蓄積された管理情報をバックアップデータとして、前記バックアップ領域に記録するよう前記記録工程における処理を制御する制御工程と、
前記記録工程において記録したバックアップデータに従って、前記ディスク記録媒体に関するファイルシステム情報を変更するファイルシステム変更工程とをコンピュータに実行させることを特徴とするプログラム。
【請求項１２】
請求項１１に記載のプログラムを記憶したことを特徴とするコンピュータ読み取り可能な記憶媒体。
【発明の詳細な説明】
【技術分野】
【０００１】
本発明は記録装置、記録方法、プログラム及び記憶媒体に関し、特に、ストリームに依存する管理ファイルをバックアップするために用いて好適な技術に関する。
【背景技術】
【０００２】
従来、ＤＶＤなどの光ディスクに対して映像データや音声データを記録する記録装置が知られている。この様なディスク記録装置においては、図６に示すように、リアルタイムに記録再生する場合に、ディスク記録媒体１０上に分割配置された画像音声データ（ＡＶ）のファイルを読み出す必要がある。そこで、ＡＶファイルに関連する管理情報のファイル（管理ファイル）を記録する特定の連続領域をディスク記録媒体１０上に設け、管理ファイルを常にこの領域に記録するように構成する。このようにすると、記録装置を起動した時、あるいはディスク記録媒体１０を挿入した時には、前記領域の先頭位置から管理ファイルを連続的に読み出せばよいので、立ち上がり時間が短縮される。また、前記領域をディスクの最内周に確保する構成とすることにより、さらに処理時間の短縮を可能とするディスク記録再生装置も開示されている（例えば、特許文献１参照）。
【０００３】
さらに、ディスクに記録した管理ファイルの信頼性を高くするために、内周側に位置する管理ファイルのバックファイルをディスクの外周側に記録するものも知られている。
【０００４】
【特許文献１】特開２００２−７４８５１号公報
【発明の開示】
【発明が解決しようとする課題】
【０００５】
前述した様に、管理ファイルのバックファイルをディスクの外周側に記録するような構成では、一つのＡＶファイルを記録する度にそのＡＶファイルに関する管理ファイルのバックファイルを記録する。しかしながら、ディスク内周に記録した管理ファイルと同じバックファイルをディスクの外周側に記録する為には、ピックアップをディスク内周側から外周側まで移動させる必要がある。その結果、騒音が多発するという問題点があった。特に、一つのＡＶファイルを記録する度にバックアップファイルを記録した場合、ピックアップの移動（シーク）が頻繁に実行されることになり、シークモータからの騒音が問題となる。
【０００６】
本発明は前述の問題点に鑑み、管理ファイルのバックアップに伴い、内周側と外周側との間でシークが多発しないようにすることで、騒音の発生を抑制することを目的としている。
【課題を解決するための手段】
【０００７】
本発明の記録装置は、画像データをディスク記録媒体に記録すると共に、前記ディスク記録媒体上に予約領域を設け、前記画像データの管理情報を前記予約領域に記録する記録手段と、前記ディスク記録媒体に対するファイナライズの指示に応じて、前記予約領域に記録された複数の前記画像データの管理情報を読み出す読出手段と、前記読出手段によって読み出された前記複数の画像データの管理情報を蓄積するメモリと、前記ディスク記録媒体上に前記予約領域とは不連続なバックアップ領域を設け、前記メモリに蓄積された管理情報をバックアップデータとして、前記バックアップ領域に記録するよう前記記録手段を制御する制御手段と、前記記録手段によって記録されたバックアップデータに従って、前記ディスク記録媒体に関するファイルシステム情報を変更するファイルシステム変更手段とを有することを特徴とする。
【０００８】
本発明の記録方法は、画像データをディスク記録媒体に記録すると共に、前記ディスク記録媒体上に予約領域を設け、前記画像データの管理情報を前記予約領域に記録する記録工程と、前記ディスク記録媒体に対するファイナライズの指示に応じて、前記予約領域に記録された複数の前記画像データの管理情報を読み出す読出工程と、前記ディスク記録媒体上に前記予約領域とは不連続なバックアップ領域を設け、前記読出工程において読み出した前記複数の画像データの管理情報を蓄積するメモリに蓄積された管理情報をバックアップデータとして、前記バックアップ領域に記録するよう前記記録工程における処理を制御する制御工程と、前記記録工程において記録したバックアップデータに従って、前記ディスク記録媒体に関するファイルシステム情報を変更するファイルシステム変更工程とを有することを特徴とする。
【０００９】
本発明のプログラムは、画像データをディスク記録媒体に記録すると共に、前記ディスク記録媒体上に予約領域を設け、前記画像データの管理情報を前記予約領域に記録する記録工程と、前記ディスク記録媒体に対するファイナライズの指示に応じて、前記予約領域に記録された複数の前記画像データの管理情報を読み出す読出工程と、前記ディスク記録媒体上に前記予約領域とは不連続なバックアップ領域を設け、前記読出工程において読み出した前記複数の画像データの管理情報を蓄積するメモリに蓄積された管理情報をバックアップデータとして、前記バックアップ領域に記録するよう前記記録工程における処理を制御する制御工程と、前記記録工程において記録したバックアップデータに従って、前記ディスク記録媒体に関するファイルシステム情報を変更するファイルシステム変更工程とをコンピュータに実行させることを特徴とする。
【００１０】
本発明の記憶媒体は、前記に記載のプログラムを記憶したことを特徴とする。
【発明の効果】
【００１１】
本発明によれば、ディスク記録媒体の予約領域に記録された管理情報を、ファイナライズ処理を行う際に読み出し、バックアップデータとして、前記ディスクの予約領域とは不連続なバックアップ領域に記録するようにした。これにより、バックアップファイルの記録に伴ってピックアップのシークが多発しないようにすることが可能となり、騒音が多発することを防止することができる。
【発明を実施するための最良の形態】
【００１２】
（第１の実施形態）
以下、本発明の実施形態について、図面を参照しながら説明する。
図１は、本実施形態の記録装置における全体構成の一例を示すブロック図である。
図１において、１０１は、撮像素子から出力された電気信号をカメラ信号に変換するカメラ信号処理部であり、１０２は、カメラ信号処理部１０１から出力された動画像データをＭＰＥＧ方式で圧縮符号化するＭＰＥＧ回路である。
【００１３】
１０３は、ＭＰＥＧ回路１０２から出力される圧縮データを記憶するストリームバッファであり、１０４は、ディスクドライブ１０５とのインターフェイスの役割を担うＡＴＡインターフェイスである。１０５は、光ディスク１０６との間でデータの読み書きを行うディスクドライブであり、１０６は、データを記憶する光ディスクである。ディスクドライブ１０５は、光ディスク１０６に対して光ビームを照射することによりデータの書き込み、読み出しを行うピックアップ、ディスクからのビーム反射光を受光するセンサを有する。更に、ディスクドライブ１０５は、ピックアップをディスク半径方向に移動するシークモータや光ディスク１０６を回転させるスピンドルモータ等のメカニズムを有する。
【００１４】
１０７は、ＭＰＥＧ回路１０２から出力されるストリームデータの情報（ストリーム情報）を既定のファイルフォーマットに作成する管理情報処理部である。１０８は、管理情報処理部１０７から出力されるストリーム情報を蓄積する管理ファイルメモリであり、１０９は、記録装置１００を構成する各ブロックを制御するマイコンである。
【００１５】
図１において、撮像素子であるＣＣＤ（図示せず）から出力された画像データがカメラ信号処理部１０１に入力される。カメラ信号処理部１０１は、入力された画像データに対して周知の処理を施し、ＭＰＥＧ回路１０２に出力する。ＭＰＥＧ回路１０２は、入力された画像データをＭＰＥＧ方式に従って符号化してその情報量を圧縮する。なお、図１の装置は不図示の音声入力部を備えており、入力された音声データもＭＰＥＧ回路１０２に出力される。ＭＰＥＧ回路１０２は画像データと音声データを符号化し、ストリームデータ（画像音声データ）としてストリームバッファ１０３に出力する。ストリームバッファ１０３は、ＭＰＥＧ回路１０２から出力されたストリームデータを蓄積する。
【００１６】
ストリームバッファ１０３内に蓄積されるストリームデータは、マイコン１０９で監視され、マイコン１０９はストリームバッファ１０３に蓄積されたデータが既定サイズを超えた場合に既定サイズ分のストリームデータを読み出す。読み出されたストリームデータは、マイコン１０９上に実装されているＵＤＦ（Universal Disk Format）を用いたファイルシステムに従って、ＡＴＡインターフェイス１０４を経由してディスクドライブ１０５にファイルとして転送される。ディスクドライブ１０５は、転送されたファイル（画像音声データ）を光ディスク１０６の順次指示された物理アドレスに書き込む。
【００１７】
また、ＭＰＥＧ回路１０２は、カメラ信号処理部１０１から出力された動画像データを圧縮するときに、符号化されたデータのサイズや記録時間長などのストリーム情報を管理情報処理部１０７に出力する。管理情報処理部１０７は、ＭＰＥＧ回路１０２から出力されるストリーム情報を取り込み、バッファとして機能する管理ファイルメモリ１０８に蓄積する。なお、管理ファイルメモリ１０８のメモリサイズは、光ディスク１０６に記録された管理ファイルを一括して蓄積可能なサイズとなっている。
【００１８】
管理ファイルメモリ１０８に蓄積されたストリーム情報は、マイコン１０９上に実装されているファイルシステムに従って、ストリームの記録終了後に管理ファイルとして読み出される。読み出された管理ファイルは、ＡＴＡインターフェイス１０４を経由してディスクドライブ１０５に転送され、光ディスク１０６に記録される。
【００１９】
なお、本実施形態では、不図示の操作部によるユーザからの記録開始の指示から記録停止の指示までの間に光ディスク１０６に記録した一連の画像音声ストリームを一つのファイルとして管理する。また、一つの画像音声ストリームを光ディスク１０６に記録する度に管理ファイルを作成し、予約領域２０１に記録する。また、バックアップファイルについては、一つの画像音声ストリームの記録終了時には記録せず、後述の様に、ファイナライズ時に記録する。
【００２０】
また、本実施形態では、光ディスク１０６に記録されているファイルの記録位置や構成などを示すファイルシステム情報（ＵＤＦ情報）をマイコン１０９により生成する。そして、一つのストリームデータを光ディスク１０６に記録する度に、内部のメモリを利用してファイルシステム情報を更新する。そして、装置の電源オフや光ディスク１０６の排出時などに、光ディスク１０６の最内周側の所定のＵＤＦ領域に書き込む。
【００２１】
また、マイコン１０９は、光ディスク１０６が装着された際に、このＵＤＦ情報を読み出して内部のメモリに蓄積し、光ディスク１０６に対するデータの記録に従って更新する。更に、後述の様に、光ディスク１０６のファイナライズに伴い、バックアップファイルを記録した場合にもＵＤＦ情報を更新し、光ディスク１０６のＵＤＦ領域に記録する。
【００２２】
図２は、２層の光ディスク上の記録フォーマットを示す図である。内周側から順番に予約領域２０１、ストリーム領域２０２、及びバックアップ領域２０３に割り付けられている。
【００２３】
内周側にある予約領域（管理領域）２０１は、管理ファイルメモリ１０８に蓄積されているストリーム情報（管理ファイル）を記録するための領域である。ストリーム領域２０２は、ストリームデータを記録するための領域である。外周側のバックアップ領域２０３は、ファイナライズ処理を行う時に、予約領域２０１に記録されている管理ファイルをコピーしてバックアップするための領域である。したがって、バックアップ領域２０３は、予約領域２０１と同じ容量を確保する。なお、ファイナライズ処理とは、光ディスク１０６に対して、管理ファイルなど、予め決められたデータを記録することにより、本実施形態の記録装置１００以外の装置において、光ディスク１０６に記録されたデータを再生可能とするための処理である。
【００２４】
なお、本実施形態では、管理情報処理部１０７で生成されるストリーム情報のサイズは、対応するストリームデータの記録時間に比例して大きくなる。そのため、このとき確保する予約領域２０１のサイズは、光ディスク１０６に記録可能なストリームデータの記録時間に基づいて決定する。
【００２５】
図３は、ファイナライズ処理を行う直前における光ディスク１０６上の状態を示す図である。ストリーム領域２０２には、Ｎ個のストリームデータが記録され、予約領域２０１には、ストリームデータと同数の管理ファイルが記録されている。この状態から、操作者からファイナライズ処理の指示を受けると、図４のフローチャートに示すようなバックアップ動作を行う。
【００２６】
図４は、本実施形態の記録装置１００によるバックアップ動作の処理手順の一例を示すフローチャートである。なお、図４に示す各処理は、制御手段として機能するマイコン１０９の制御によって行われる。
図４において、まず、操作者からファイナライズ処理の指示を受けると、バックアップ動作を開始する。まず、ステップＳ４０１において、予約領域２０１の空き領域をパディングする。図２を参照しながら説明すると、予約領域２０１に管理ファイルをＮ個記録した後における空き領域に対してダミーデータを書き込むことによりこの空き領域を埋めるよう、ＡＴＡインターフェイス１０４を介してディスクドライブ１０５に指示する。
【００２７】
次に、ステップＳ４０２以降において、予約領域２０１に記録された管理ファイル（管理情報）を含むデータを光ディスク１０６のバックアップ領域２０３にコピーする。まず、ステップＳ４０２において、予約領域２０１の全てのデータをバックアップ領域２０３にコピーしたかどうかを判断する。この判断の結果、全てのデータをバックアップ領域２０３にコピーしていない場合は、ステップＳ４０３に進む。
【００２８】
そして、ステップＳ４０３において、マイコン１０９の制御によりディスクドライブ１０５は読出手段として機能し、予約領域２０１の管理ファイルを含むデータを光ディスク１０６から一括して読み出す。そして、ＡＴＡインターフェイス１０４を経由して管理ファイルメモリ１０８に蓄積する。なお、読み出すデータのサイズは、管理ファイルメモリ１０８のメモリサイズ分まで大きくすることが可能であり、管理ファイルの想定される最大サイズとなっている。前述したように管理ファイルメモリ１０８のメモリサイズは、光ディスク１０６の予約領域２０１に記録された管理ファイルを一括して読み出すことができるサイズとなっている。
【００２９】
次に、ステップＳ４０４において、管理ファイルメモリ１０８に蓄積されたデータを、ＡＴＡインターフェイス１０４を経由してディスクドライブ１０５に送る。そして、マイコン１０９の制御によりディスクドライブ１０５は記録手段として機能し、光ディスク１０６のバックアップ領域２０３に一括して書き込む。そして、ステップＳ４０２に戻る。
【００３０】
このとき、マイコン１０９はＡＴＡインターフェイス１０４を介してディスクドライブ１０５を制御し、予約領域２０１に記録された管理ファイルを読み出した後、ピックアップをディスク外周のバックアップ領域にシークさせる。
【００３１】
一方、ステップＳ４０２の判断の結果、予約領域２０１全てのデータをバックアップ領域２０３にコピーした場合は、ステップＳ４０５に進む。そして、ステップＳ４０５において、マイコン１０９はファイルシステム変更手段として機能し、バックアップ領域２０３に存在する予約領域２０１の管理ファイルのバックアップデータを、ＵＤＦを用いたファイルシステムに登録し、処理を終了する。
【００３２】
次に、管理ファイルのファイルエントリを、ＵＤＦを用いたファイルシステムに登録する処理の詳細について、図５のフローチャートを参照しながら説明する。なお、図５に示す各処理は、マイコン１０９の制御によって行われ、管理ファイルを読み出す場合に、バックアップデータを管理ファイルとして読み出すことができるようにするための処理である。
まず、ステップＳ５０１において、バックアップの管理ファイルを、ＵＤＦを用いたファイルシステムに全て登録したかどうかを判断する。この判断の結果、全ての管理ファイルを登録していない場合は、ステップＳ５０２に進む。
【００３３】
そして、ステップＳ５０２において、予約領域２０１にある管理ファイルの「File Entry（ファイルエントリ）」を読み出す。「File Entry」には、ファイルの属性が書かれており、ファイル名、ファイルのディスク上のアドレス、サイズ、更新日時などが書かれている。
【００３４】
次に、ステップＳ５０３において、読み出した「File Entry」をバックアップ領域２０３にある管理ファイルの「File Entry」に変換する処理を行う。具体的には、予約領域２０１にある管理ファイルの「File Entry」のファイル名と、光ディスク１０６上の管理ファイルのアドレスとをバックアップ領域２０３にある管理ファイルのものに変更する。この結果、光ディスク１０６上の管理ファイルのアドレスは、予約領域２０１の先頭からバックアップ領域２０３の先頭までの差分を追加したものになる。
【００３５】
これらの変更を行った後に、ステップＳ５０４において、バックアップ用の管理ファイルの「File Entry」を、ＵＤＦを用いたファイルシステムに対して追加し、登録する。そして、ステップＳ５０１に戻る。一方、ステップＳ５０１の判断の結果、全ての管理ファイルを登録した場合は、処理を終了する。
【００３６】
マイコン１０９は、この様に更新、登録されたファイルシステムの情報をディスクドライブ１０５により光ディスク１０６に記録する。
【００３７】
以上のように本実施形態においては、光ディスク１０６の内周側の予約領域２０１に記録された管理ファイルを、ファイナライズ処理を行う際に一括して読み出す。そして、バックアップデータとして、光ディスク１０６の外周側のバックアップ領域２０３に一括して記録するようにした。これにより、予約領域２０１にある管理ファイルをバックアップ領域２０３にコピーする場合でも、シークの多発を防ぎ、その結果、騒音の多発を防止することができる。
【００３８】
なお、本実施形態では、ディスク記録媒体の内周側に管理ファイル領域を設け、外周側にバックアップ領域を設けていた。しかしながら、これに限らず、管理ファイル領域とバックアップ領域とがディスク記録媒体上で不連続な場合には、バックアップファイルの記録時に必ずピックアップのシークが発生する。そのため、この様に、管理ファイル領域とバックアップ領域とがディスク記録媒体上で不連続な構成に対しても本発明を同様に適用することができ、同様の効果を持つ。
【００３９】
（本発明に係る他の実施形態）
前述した本発明の実施形態における記録装置を構成する各手段、並びに記録方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００４０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４１】
なお、本発明は、前述した実施形態の機能を実現するソフトウェアのプログラム（実施形態では図４、５に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、ＯＳに供給するスクリプトデータ等の形態であってもよい。
【００４４】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００４６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４７】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４９】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５０】
【図１】本発明の実施形態における記録装置の全体構成例を示すブロック図である。
【図２】光ディスク上のファイル配置を示す図である。
【図３】ファイナライズ前のディスクの状態の一例を示す図である。
【図４】本発明の実施形態におけるバックアップ処理の手順の一例を示すフローチャートである。
【図５】本発明の実施形態において、ＵＤＦを用いたファイルシステムにFile Entryの登録を行う処理手順の一例を示すフローチャートである。
【図６】光ディスク上のファイル配置を示す図である。
【符号の説明】
【００５１】
１００  記録装置
１０１  カメラ信号処理部
１０２  ＭＰＥＧ回路
１０３  ストリームバッファ
１０４  ＡＴＡインターフェイス
１０５  ディスクドライブ
１０６  光ディスク
１０７  管理情報処理部
１０８  管理ファイルメモリ
１０９  マイコン
【図１】
2008282456.tif 000003
【図２】
2008282456.tif 000004
【図３】
2008282456.tif 000005
【図４】
2008282456.tif 000006
【図５】
2008282456.tif 000007
【図６】
2008282456.tif 000008